(57)【特許請求の範囲】
【請求項１】
ワイヤレス通信システムであって、
少なくとも１つの移動機にサービスする基地局と、
前記基地局と公衆交換電話網とに相互接続された、ネットワークミュート機能を含む移動交換センタとを有し、
前記少なくとも１つの移動機と前記公衆交換電話網へ接続された少なくとも１つの他の参加者との間での呼の間に、前記ネットワークミュート機能は、前記少なくとも１つの移動機からの前記ネットワークミュート機能に対する要求に応動して、前記少なくとも１つの移動機から前記少なくとも１つの参加者への音声路を切断し、前記少なくとも１つの他の参加者から前記少なくとも１つの移動機への音声路は継続するものであり、これにより、前記少なくとも１つの移動機からの音声が前記少なくとも１つの他の参加者へ送信されず、前記少なくとも１つの他の参加者からの音声が前記少なくとも１つの移動機へ送信されることを特徴とするワイヤレス通信システム。
【請求項２】
前記ネットワークミュート機能は、前記切断された音声路を生成するために前記少なくとも１つの移動機から前記少なくとも１つの参加者への音声路を切断することが可能なタイムスロットインターチェンジャと、
前記切断された音声路の一部と相互接続するノイズ生成器とを有し、これにより前記ノイズ生成器の出力が前記少なくとも１つの他の参加者へ送信されることを特徴とする請求項１に記載のワイヤレス通信システム。
【請求項３】
前記ネットワークミュート機能が起動されていることを示すトーンを生成する回路をさらに有することを特徴とする請求項１に記載のワイヤレス通信システム。
【請求項４】
前記基地局は、前記ネットワークミュート機能の起動を示すシグナリングメッセージを受信するシグナリングリンクを通じて前記移動交換センタに相互接続されていることを特徴とする請求項１に記載のワイヤレス通信システム。
【請求項５】
ネットワークミュート機能を停止する手段をさらに有することを特徴とする請求項１に記載のワイヤレス通信システム。
【請求項６】
音声復号器をさらに有することを特徴とする請求項１に記載のワイヤレス通信システム。
【請求項７】
ワイヤレス移動交換センタであって、
タイムスロットインターチェンジャと相互接続されたコントローラを有し、前記タイムスロットインターチェンジャーは、移動機からの音声をミュートするという前記移動機からの要求に応動して、前記移動機からの音声が前記公衆交換電話網へ送信されないよう、前記移動機から公衆交換電話網への音声路を切断して切断された音声路を生成するものであり、さらに、
前記コントローラと相互接続されたトーン生成器と、
前記タイムスロットインターチェンジャと相互接続された背景ノイズ生成器とを有することを特徴とするワイヤレス移動交換センタ。
【請求項８】
前記移動交換センタをワイヤレス通信ネットワーク内の基地局に相互接続するシグナリングリンクをさらに有することを特徴とする請求項７に記載のワイヤレス移動交換センタ。
【請求項９】
ディジタル音声信号を処理する音声復号器をさらに有することを特徴とする請求項７に記載のワイヤレス移動交換センタ。
【請求項１０】
前記タイムスロットインターチェンジャは前記切断された音声路を保持することを特徴とする請求項７に記載のワイヤレス移動交換センタ。
【請求項１１】
背景ノイズを前記公衆交換電話網へ送信するよう、前記切断された音声路の一部を背景ノイズ生成器に相互接続するリンクをさらに有することを特徴とする請求項１０に記載のワイヤレス移動交換センタ。
【請求項１２】
ワイヤレス通信システムにおいてネットワークミュート機能を実現する方法であって、
ネットワークミュート機能の起動を示す信号を移動機から受信するステップと、
ネットワークミュート機能の起動を示す前記信号を受信したことに応動して、前記移動機からの音声を前記公衆交換電話網へ送信しないよう、前記移動機から公衆交換電話網への音声路を切断するステップと、
ネットワークミュート機能が起動されたことを示すメッセージを前記移動機に対して発行するステップとを有することを特徴とする方法。
【請求項１３】
前記移動機が緊急通話に関連するときには、前記ネットワークミュート機能の起動を拒否するステップをさらに有することを特徴とする請求項１２に記載の方法。
【請求項１４】
前記移動機から停止信号を受信したことに応動して、前記移動機からの音声を前記公衆交換電話網へ送信するよう、前記移動機から前記公衆交換網への音声路を接続するステップをさらに有することを特徴とする請求項１２に記載の方法。
【請求項１５】
前記公衆交換電話網によってサービスされる被呼者に送るべき背景ノイズを生成するノイズ生成器に、音声路の一部を相互接続するステップをさらに有することを特徴とする請求項１２に記載の方法。
【請求項１６】
ワイヤレス通信システムによってサービスされる移動機であって、
メモリと、
前記メモリに相互接続されたプロセッサと、
ネットワークミュート機能に関連するトーンを有する、前記プロセッサに相互接続されたＤＴＭＦトーン生成器と、
前記ネットワークミュート機能を起動する信号を生成する、前記プロセッサに相互接続された信号生成器とを有し、
前記ネットワークミュート機能は、前記信号に応動して、前記移動機から少なくとも１つの他の参加者への音声路を切断し、前記少なくとも１つの参加者から前記移動機への音声路は継続するものであり、これにより、前記移動機からの音声が前記少なくとも１つの他の参加者へ送信されず、前記少なくとも１つの他の参加者からの音声が前記移動機へ送信されることを特徴とする移動機。
【請求項１７】
前記メモリは、ネットワークミュート機能シグナリングプロトコルを記憶するセグメントを含むことを特徴とする請求項１６に記載の移動機。
【請求項１８】
前記信号生成器は、ネットワークミュート機能の起動に応動して信号を生成することを特徴とする請求項１６に記載の移動機。
【請求項１９】
ネットワークミュート機能を停止する手段をさらに有することを特徴とする請求項１６に記載の移動機。
【請求項２０】
ネットワークミュート機能を起動する方法であって、
前記ネットワークミュート機能の起動を示すトーン生成器からのメッセージを移動機プロセッサで受信するステップと、
前記トーン生成器からのメッセージを受信したことに応動して、ネットワークミュートプロトコルを取得するステップと、
前記ネットワークミュート機能を起動すべきことを示す信号をサービス中の基地局に送るステップとを有し、
前記ネットワークミュート機能は、前記信号に応動して、前記移動機から少なくとも１つの他の参加者への音声路を切断し、前記少なくとも１つの参加者から前記移動機への音声路は継続するものであり、これにより、前記移動機からの音声が前記少なくとも１つの他の参加者へ送信されず、前記少なくとも１つの他の参加者からの音声が前記移動機へ送信されることを特徴とする方法。
【請求項２１】
前記移動機プロセッサでネットワークミュート機能停止要求を受信するステップをさらに有し、
前記移動機は、ネットワークミュート機能の停止を要求するメッセージを送信することを特徴とする請求項２０に記載の方法。
【請求項２２】
移動機は前記ネットワークミュート機能が起動中であることを表示することを特徴とする請求項２０に記載の方法。
【請求項２３】
移動機は前記ネットワークミュート機能の起動の拒否を示す信号を受信することを特徴とする請求項２０に記載の方法。
【発明の詳細な説明】
【０００１】
【発明の属する技術分野】
本発明は、通信システムに関し、特に、ワイヤレス通信システムに配備される移動機に付属するミュート（無音）機能に関する。
【０００２】
【従来の技術】
ワイヤレス通信の急激な成長は、情報へのほとんど即時のアクセスに対する現代社会の期待の証左である。ワイヤレス（移動）ハンドセットのコストの低下と、ワイヤレス伝送の信頼性の向上により、移動通信は、ほとんどすべての人にとっての現実的な選択肢となっている。実際、移動加入者が、ワイヤレス通信サービスをすべての種類のやりとりに使用することは現在はふつうである。従来の音声およびデータ伝送（例えばファクシミリ）は、あまり慣れていない移動加入者にとっても一般的である。他の加入者（例えば、移動機を通じてビジネスをする加入者）にとっては、ワイヤレス通信は、顧客およびオフィスへの生命線である。
【０００３】
ビジネスの世界の周知の重要な要素は、会議通話である。会議通話は、一般に、電話を通じて１人以上の当事者が参加する会議である。多くのビジネスマンが空港で時間を過ごしたり自動車で移動したりするようになればなるほど、少なくとも１人の会議通話参加者が、ワイヤレス通信ネットワークによってサービスされる移動機を使用することがますますふつうになっている。さまざまな改善がなされてきてはいるが、会議通話の品質の悪さは、会議の障害になることが多い。会議通話の品質が最適でないと、ワイヤレス通信ネットワークによる伝送に伴う環境背景ノイズがある場合、その品質は許容できなくなるため、残りの参加者が少ない雑音で議論することができるように、移動機の会議通話参加者は通話から抜けるよう頼まれることもある。ほとんどの移動機は「ミュート」機能を有するが、この機能は単に、移動機のマイクロフォンを切るだけである。ワイヤレス伝送に伴う環境ノイズは、依然としてワイヤレス通信ネットワークを通じて他の参加者へと流れる。
【０００４】
【発明が解決しようとする課題】
以上の理由から、従来技術においては、移動機ユーザが会議通話に参加する能力を向上させることが必要とされている。
【０００５】
【課題を解決するための手段】
ネットワークミュート機能によって、上記の課題は解決され、ワイヤレス通信技術における技術的進歩が達成される。
【０００６】
本発明の一実施例では、ネットワークミュート機能は移動機に設けられる。一般に、ネットワークミュート機能は、通話の他の参加者が移動機ユーザの環境およびワイヤレス通信ネットワークに伴う環境ノイズを受けているような会議通話に参加中の移動機ユーザによって起動される。ネットワークミュート機能の起動により、移動機から移動交換センタへ、移動機ユーザを他の参加者と相互接続する音声路を切断するメッセージが送られる。すると、移動交換センタは、その音声路をノイズ生成器に接続する。ノイズ生成器は、他の（起動した参加者でない）参加者にのみ聞こえる、じゃまにならない程度の背景ノイズを提供する。ミュートした移動機ユーザは、他の参加者からのすべての通信を聞くことができる。背景ノイズの目的は、移動機ユーザが依然としてつながっており会議を聞くことができるということを他の参加者に確信させることである。代替実施例では、移動機ユーザは、あるアクセスコードにダイヤルして、ネットワークミュート機能を起動する。
【０００７】
ネットワークミュート機能は、アナログおよびディジタルのいずれのワイヤレス通信システムでも使用可能である。また、移動機のミュートは、付属するマイクロフォンをミュートするのみならず、他の参加者にとっての、ワイヤレスシステムに伴うワイヤレスネットワークノイズも除去する。
【０００８】
【発明の実施の形態】
図１において、ワイヤレス通信システム１００は、移動機１１０、基地局１２０および移動交換センタ１４０を含む。また、他のすべての有線およびワイヤレス（無線）加入者にサービスする公衆交換電話網（ＰＳＴＮ）１８０も図示されている。
【０００９】
この例では、移動機１１０（ネットワークミュート機能１１３を有する）は、基地局１２０によってサービスされる。基地局１２０は、リンク１２１、１２５および１２７を通じてそれぞれ無線インタフェース１２３、無線資源インタフェース１２４およびデータベース１２６と相互接続されたプロセッサ１２２を有する。また、リンク１３１を通じて無線インタフェース１２３と相互接続されたアンテナ１２８も図示されている。無線インタフェース１２３は、リンク１３３を通じて無線資源インタフェース１２４と相互接続される。
【００１０】
移動交換センタ（ＭＳＣ）１４０は、リンク１４１を通じてアナウンス／トーン生成回路１６０と相互接続されたコントローラ１４２を有する。タイムスロットインターチェンジャ（ＴＳＩ）１４４は、リンク１４３を通じてコントローラと相互接続される。また、音声路を通じてＴＳＩ１４４と相互接続された音声復号器１４６およびノイズ生成器１４８も図示されている。
【００１１】
動作中、無線資源インタフェース１２４からＴＳＩ１４４を通じてＰＳＴＮ１８０までの音声路が確立される。この例では、無線資源インタフェース１２４から、音声復号器１４６を通り、ＰＳＴＮ１８０までの非ミュート音声路１５１、１５３が図示されている。具体的には、音声路１５１は、移動機ユーザを、ＰＳＴＮによってサービスされる被呼者に接続し、一方、音声路１５３は、被呼者を移動機ユーザに接続する。あるいは、音声路１５１、１５３は、単一の双方向音声路として図示することも可能である。音声復号器１４６は、受信される正しく圧縮された音声信号を処理するためにディジタルワイヤレスシステム（例えば、ＣＤＭＡあるいはＴＤＭＡシステム）で用いられる。音声復号器は、音声信号を圧縮解除し、その信号を、ＰＳＴＮによって認識可能なパルス符号変調フォーマットに変換する。重要な点であるが、音声復号器は、アナログワイヤレス通信システムには存在しない。また、ネットワークミュートされた音声路１５５およびそれに対応する音声路１５７も図示されている。この場合、音声路１５５（移動機ユーザから被呼者へ）は、無線資源インタフェース１２４から出て、音声復号器１４６を通り、ＰＳＴＮによってサービスされる被呼者に接続される前は切断されている。音声路１５５の残りの部分（すなわち、既に被呼者に接続されている部分）は、リンク１４９と相互接続される。リンク１４９は、ノイズ生成器１４８から出て、音声路１５５に接続され、被呼者に終端する前に、じゃまにならない程度の背景ノイズがノイズ生成器によって音声路１５５に供給されるようにしている。ＴＳＩ１４４内で音声路１５５を切断することにより、移動機ユーザの環境およびワイヤレス伝送に伴う環境ノイズは、ＰＳＴＮによってサービスされる被呼者に送られなくなる。その代わりに、被呼者には、じゃまにならない程度の背景ノイズが聞こえ、ワイヤレス伝送に伴う妨害を受けることなく、移動機ユーザが依然としてつながっていることがわかるようになる。重要な点であるが、被呼者を移動機ユーザに接続する音声路１５７は切断されていない。すなわち、移動機ユーザは、被呼者からのすべての会話を聞くことができる。
【００１２】
図２に、ＴＳＩ１４４、音声復号器１４６およびノイズ生成器１４８の代替実施例を示す。この実施例では、ノイズ生成器は音声復号器内に配置される。この例では、ネットワークミュートされた音声路の第１の枝１７５は、音声復号器１４６で終端し、ネットワークミュートされた音声路の第２の枝１７７は、ノイズ生成器１４８から出て被呼者で終端する。被呼者を移動機に接続する音声路１７９は、ネットワークミュート機能によって影響されない。すなわち、移動機ユーザは、被呼者からのすべての通信を聞くことができる。
【００１３】
図３は、代表的な移動機２００の前面図である。移動機２００は、視覚的ディスプレイスクリーン２０２、アンテナ２０４、複数の機能ボタン（まとめて機能ボタン２０６という）、およびミュートネットワーク機能ボタン２０８を有する。
【００１４】
図４に、図３の移動機２００の内部コンポーネントを示す。具体的には、移動機２００は、リンク２１３を通じてメモリ２１２と相互接続されたプロセッサ２１０を有する。無線周波数受信器２１４、デュアルトーン多周波（ＤＴＭＦ）トーン生成器２１６および信号生成器２１８は、それぞれリンク２１５、２１７および２１９を通じてプロセッサと相互接続されるように図示されている。プロセッサ２１０は、移動機のすべての機能を管理する。無線受信器２１４は、アンテナ２０４を通じて無線周波数信号を受信する。ＤＴＭＦトーン生成器２１６は、機能ボタン２０６と相互接続され、各ボタンの特定のＤＴＭＦトーンを生成する。また、ＤＴＭＦトーン生成器２１６は、ネットワークミュート機能ボタン２０８とも相互接続され、その特定のＤＴＭＦトーンを生成する。信号生成器２１８は、移動機からアンテナ２０４を通じてＰＳＴＮへ無線周波数信号を送る。メモリ２１２は、移動機２００に関するデータを記憶する。
【００１５】
好ましい実施例では、メモリ２１２は、ネットワークミュート機能ボタン２０８の動作に関するシグナリングプロトコルを記憶するメモリセグメント２２０を含む。具体的には、セグメント２２０に記憶されるシグナリングプロトコルは、ネットワークミュート要求を受け取ると、プロセッサ２１０によってアクセスされる。ネットワークミュートボタンが起動されると、プロセッサ２１０は、ＩＳ９５、「ブランク・アンド・バースト」シグナリング、あるいは、ＩＳ１３６のような確立したシグナリングフォーマットで、サービス中の移動交換センタへ（基地局を通じて）ネットワークミュート要求を送る。
【００１６】
図５は、ネットワークミュート機能の起動のために、移動機で実行されるステップを示す流れ図である。プロセスはステップ３００から開始する。ステップ３００で、移動機のユーザは、ミュートボタンを押すことによってネットワークミュート機能を起動する。ステップ３０２で、ネットワークミュート機能に対応するＤＴＭＦトーンが、移動機のプロセッサによって受け取られる。移動機２００において、ＤＴＭＦトーン生成器２１６は、ネットワークミュート機能ボタン２０８の特定のトーンを生成し、この特定のトーンは、リンク２１７を通じてプロセッサ２１０に送られる。ステップ３０４で、プロセッサはミュート要求を受け取り、そのメモリにアクセスして、ネットワークミュート機能に関連するシグナリングプロトコルを取得する。この例では、プロセッサ２１０は、ネットワークミュートシグナリングプロトコルのメモリセグメント２２０にアクセスする。ステップ３０６で、プロセッサ２１０は、信号生成器２１８に対して、ネットワークミュート要求信号を、サービス中の基地局に送るよう指令する。ネットワークミュート要求信号は、ＩＳ９５、ＩＳ１３６、「ブランク・アンド・バースト」シグナリング、あるいは、直接転送アプリケーション部（ＤＴＡＰ：direct transfer application part）シグナリングのような無線周波数プロトコルにより、サービス中の基地局に送られる。
【００１７】
図６は、ネットワークミュート機能の起動のためにワイヤレス通信システムで実行されるステップの流れ図である。例示のために、ネットワークミュート機能はワイヤレス通信システム１００で起動されると仮定する。
【００１８】
プロセスはステップ４００から開始する。ステップ４００で、基地局は、移動機からネットワークミュート要求信号を受信し、この要求を、サービス中の移動交換センタに送る。この例では、基地局１２０は、ネットワークミュート要求信号を受信し、それをＭＳＣ１４０に送る。ステップ４０２で、ＭＳＣ１４０は、ネットワークミュート要求を受信する。移動機がローミングしている場合、標準的なＭＳＣ間ハンドオフシグナリングを用いて、サービス中のＭＳＣが移動機ユーザからネットワークミュート要求を受信することを保証する。
【００１９】
プロセスは判定ステップ４０４に進む。ステップ４０４で、ＭＳＣは、継続中の通話が緊急（例えば、米国におけるＥ９１１）通話であるかどうかを判定する。判定ステップ４０４の結果がＹＥＳの判定である場合、プロセスはステップ４０５に進む。ステップ４０５で、ネットワークミュート要求は拒否され、ＭＳＣは、それを示すトーンあるいはアナウンスを移動機ユーザに対して発行する。判定ステップ４０４の結果がＮＯの判定である場合、プロセスはステップ４０６に進む。ステップ４０６で、ＭＳＣは、ノイズ生成器が、新たに受信したネットワークミュート要求を処理するために利用可能であるかどうかを判断する。ＭＳＣ１４０は、ノイズ生成器の状態をチェックする。その理由は、これらの資源は、スペースの必要量を最小にするように意図的に制限されているからである。判定ステップ４０６の結果がＮＯの判定である場合、プロセスはステップ４０５に戻り、ステップ４０５で、ＭＳＣはネットワークミュート要求を拒否し、アナウンス／トーン回路１６０により移動機ユーザに対してアナウンスあるいはトーンを発行する。例えば、サービス中の基地局１２０を通じて移動機ユーザに対して発行されるアナウンスあるいはトーンは、ネットワークミュート機能が利用可能でないが、ユーザは後で再試行することができることを示すものである。判定ステップ４０６の結果がＹＥＳの判定である場合、プロセスはステップ４０８に進む。ステップ４０８で、ＭＳＣは、移動機からＰＳＴＮ（あるいは被呼者）への音声路を切断するが、音声路資源は保持する。同じステップで、ＭＳＣは、被呼者に対して流されるじゃまにならない程度の背景ノイズを挿入するために、切断した音声路の一部からノイズ生成器への経路を活性化する。プロセスはステップ４１０に進む。ステップ４１０で、ネットワークミュートを起動した旨のメッセージあるいはトーンが、アナウンス／トーン回路により移動機ユーザに対して発行される。このメッセージあるいはトーンは、ネットワークミュート機能がオンになり、ユーザが機能を停止することを選択するまで起動状態のままであることを示す。あるいは、ネットワークミュート信号は、移動機に視覚的に表示されることも可能である。
【００２０】
図７は、ネットワークミュート機能がダイヤルアクセスコードによって起動されるようなワイヤレス通信システムにおいて実行されるステップを示す流れ図である。ダイヤルアクセスコードは、所定の信号のセット（例えば、＊７７）であって、移動機ユーザがネットワークミュート機能を呼び出したいことをワイヤレス通信システムに対して示すものである。
【００２１】
ネットワークミュート機能のダイヤルアクセスコード起動はステップ５００から開始する。ステップ５００で、サービス中のＭＳＣは、移動機ユーザからダイヤルされたアクセスコードを受信する。この特定のアクセスコードは、ネットワークミュート機能の起動を識別する。ステップ５０２で、ＭＳＣは、そのアクセスコードをネットワークミュート要求として認識する。プロセスは判定ステップ５０４に進む。ステップ５０４で、ＭＳＣは、継続中の通話がＥ９１１通話であるかどうかを判定する。判定ステップ５０４の結果がＹＥＳの判定である場合、プロセスはステップ５０５に進む。ステップ５０５で、ネットワークミュート機能要求は拒否される。回路１６０から、その拒否を示すアナウンスあるいはトーンが移動機ユーザに対して発行される。判定ステップ５０４の結果がＮＯの判定である場合、プロセスは判定ステップ５０６に進む。ステップ５０６で、ＭＳＣは、ノイズ生成器がネットワークミュート要求を満たすのに利用可能であるかどうかを判断する。判定ステップ５０６の結果がＮＯの判定である場合、プロセスはステップ５０５に戻り、ステップ５０５で、ネットワークミュート要求は拒否され、このことを示すアナウンスあるいはトーンが移動機ユーザに対して発行される。判定ステップ５０６の結果がＹＥＳの判定である場合、ＭＳＣは、移動機ユーザを、ＰＳＴＮによってサービスされる被呼者に接続する音声路を切断するが、その音声路資源は保持する。被呼者への音声路を切断した後、被呼者は、ノイズ生成器に関連する経路に接続される。ネットワークミュート機能の起動中、被呼者には、移動機ユーザあるいはワイヤレス通信伝送の環境に伴う環境ノイズは聞こえない。その代わりに、被呼者には、移動機ユーザが依然として通話に出ており、被呼者からの通信を聞くことができることを示す、じゃまにならない程度の背景ノイズが聞こえる。プロセスはステップ５１０で終了する。ステップ５１０で、アナウンスあるいはトーンを移動機ユーザに対して発行することによって、ネットワークミュート機能の起動が確認される。
【００２２】
図７は、ネットワークミュート機能を停止するためにワイヤレス通信システムにおいて要求されるステップの流れ図である。プロセスはステップ６００から開始する。ステップ６００で、ＭＳＣは、ネットワークミュート機能の停止信号または停止ダイヤルアクセスコードを受信する。ステップ６０２で、ＭＳＣは、その停止信号を認識し、音声路からノイズ生成器へのリンクを解放する。ステップ６０４で、ＭＳＣは、以前に切断した音声路を被呼者に再接続する。すなわち、このステップで、ＭＳＣは、ネットワークミュート機能が有効でないかのように音声路を再確立する。同時に、ステップ６０６で、ＭＳＣは、ミュートを停止した旨のアナウンスあるいはトーンを移動機ユーザに対して発行する。
【００２３】
【発明の効果】
以上述べたごとく、本発明によれば、ワイヤレス通信システムにおけるネットワークミュート機能の実装により、移動機ユーザは、移動機およびワイヤレス通信伝送の環境に伴う環境ノイズを真に除去することが可能となる。この機能は、移動機ユーザが発呼者でも被呼者でも提供可能である。
【図面の簡単な説明】
【図１】本発明が実施されるワイヤレス通信システムの概略ブロック図である。
【図２】本発明が実施されるワイヤレス通信システムの概略ブロック図である。
【図３】ミュート機能を有する一般的な移動ハンドセットの前面図である。
【図４】図３の移動ハンドセットの内部コンポーネントの概略ブロック図である。
【図５】ネットワークミュート機能を起動するために移動ハンドセットによって実行されるステップを示す流れ図である。
【図６】ネットワークミュート機能を起動するためにワイヤレス通信システムによって実行されるステップを示す流れ図である。
【図７】ネットワークミュート機能のダイヤルアクセスコード起動のためにワイヤレス通信システムによって実行されるステップを示す流れ図である。
【図８】ネットワークミュート機能の停止のためにワイヤレス通信システムによって実行されるステップを示す流れ図である。
【符号の説明】
１００  ワイヤレス通信システム
１１０  移動機
１１３  ネットワークミュート機能
１２０  基地局
１２１  リンク
１２２  プロセッサ
１２３  無線インタフェース
１２４  無線資源インタフェース
１２５  リンク
１２６  データベース
１２７  リンク
１２８  アンテナ
１３１  リンク
１３３  リンク
１４０  移動交換センタ
１４１  リンク
１４２  コントローラ
１４３  リンク
１４４  タイムスロットインターチェンジャ（ＴＳＩ）
１４６  音声復号器
１４８  ノイズ生成器
１５１  非ミュート音声路
１５３  非ミュート音声路
１５５  ネットワークミュートされた音声路
１５７  音声路
１６０  アナウンス／トーン生成回路
１７５  ネットワークミュートされた音声路の第１の枝
１７７  ネットワークミュートされた音声路の第２の枝
１７９  音声路
１８０  公衆交換電話網（ＰＳＴＮ）
２００  移動機
２０２  視覚的ディスプレイスクリーン
２０４  アンテナ
２０６  機能ボタン
２０８  ミュートネットワーク機能ボタン
２１０  プロセッサ
２１２  メモリ
２１３  リンク
２１４  無線周波数受信器
２１５  リンク
２１６  デュアルトーン多周波（ＤＴＭＦ）トーン生成器
２１７  リンク
２１８  信号生成器
２１９  リンク
２２０  メモリセグメント
【図１】
0003739979.tif 000002
【図２】
0003739979.tif 000003
【図３】
0003739979.tif 000004
【図４】
0003739979.tif 000005
【図５】
0003739979.tif 000006
【図６】
0003739979.tif 000007
【図７】
0003739979.tif 000008
【図８】
0003739979.tif 000009